(57)【要約】【課題】部品の種類が少なく、組立も容易で低コストに形成することのできる上吊り式の引き戸を提供する。【解決手段】長手方向に伸びるレール部１１を走行自在な戸車４を有し、戸車４の下方に吊り下げられた障子３を備え、障子３は複数本の縦格子部材２１が横方向に並設された縦格子２０からなり、縦格子２０の２本以上の縦格子部材２１は、上端に戸車４を有する吊り下げ部材２３からなり、縦格子２０を構成する各縦格子部材２１は、縦格子２０を構成した状態で面一状に配置される背面部２１ａを備えると共に、横方向に沿って設けられる横格子部材２２に背面部２１ａが当接し連結される。【選択図】図１
2011006969.tif 000002
【特許請求の範囲】
【請求項１】
長手方向に伸びるレール部を走行自在な戸車を有し、該戸車の下方に吊り下げられた障子を備える引き戸において、
前記障子は複数本の縦格子部材が横方向に並設された縦格子からなり、該縦格子の２本以上の前記縦格子部材は、上端に前記戸車を有する吊り下げ部材からなることを特徴とする引き戸。
【請求項２】
前記縦格子を構成する各縦格子部材は、前記縦格子を構成した状態で面一状に配置される背面部を備えると共に、横方向に沿って設けられる横格子部材に前記背面部が当接し連結されることを特徴とする請求項１記載の引き戸。
【請求項３】
前記縦格子を構成する各縦格子部材は見込方向寸法が異なる２種類の部材からなり、前記縦格子は２種類の前記縦格子部材を交互に配置してなることを特徴とする請求項２記載の引き戸。
【請求項４】
前記縦格子の両端に配置される縦格子部材は、前記横格子部材の両端面が突き合わされて連結される横格子連結部を有する端部材からなることを特徴とする請求項２または３記載の引き戸。
【請求項５】
前記縦格子部材のうち前記吊り下げ部材以外の部材は、前記吊り下げ部材よりも上端位置が低く形成されてなることを特徴とする請求項１〜４のいずれか１項に記載の引き戸。
【発明の詳細な説明】
【技術分野】
【０００１】
本発明は、上枠の長手方向に沿うレール部に対して走行自在な戸車から下方吊り下げ状に設けられる障子を有した上吊り式の引き戸に関し、特に障子を縦格子で構成してなる引き戸に関する。
【背景技術】
【０００２】
従来、建物の玄関や駐車場の前に設置される上吊り式の引き戸が知られている。上吊り式の引き戸は、長手方向に沿うレール部を有し固定状に設けられた上枠に対して、吊り下げ状に設けられる障子を有している。レール部を長手方向に走行自在とするため、引き戸には戸車が設けられる。この戸車の下方に吊り下げ状となるように障子が設けられ、障子は戸車により上枠の長手方向に移動自在とされる。
【０００３】
上吊り式の引き戸においては、方形状に框組みされてなる框体内にパネル体や格子等を納めてなる障子を用いるのが一般的であった。また、框体内に縦横の格子を納めてなるものも知られている。このように、框体を有してなる障子を備えた上吊り式の引き戸としては、例えば特許文献１に挙げるようなものがある。
【先行技術文献】
【特許文献】
【０００４】
【特許文献１】特開２００７−１８６８８８号公報
【発明の概要】
【発明が解決しようとする課題】
【０００５】
従来の上吊り式の引き戸は、障子に四周に渡る框体を有しているため、上下左右の框材が必要であり、部品点数が多くなっていた。また、框体を形成するには、上下左右の框を框組みする作業が必要であり、組立が大掛かりになっていた。さらには、障子の大きさを変更する場合には、それに応じた框体を用意する必要があり、部品の種類が増えることともなっていた。これらにより、引き戸の高コスト化を招いていた。
【０００６】
本発明は前記課題を鑑みてなされたものであり、部品の種類が少なく、組立も容易で低コストに形成することのできる上吊り式の引き戸を提供することを目的とする。
【課題を解決するための手段】
【０００７】
前記課題を解決するため、本発明に係る引き戸は、長手方向に伸びるレール部を走行自在な戸車を有し、該戸車の下方に吊り下げられた障子を備える引き戸において、
前記障子は複数本の縦格子部材が横方向に並設された縦格子からなり、該縦格子の２本以上の前記縦格子部材は、上端に前記戸車を有する吊り下げ部材からなることを特徴として構成されている。
【０００８】
また、本発明に係る引き戸は、前記縦格子を構成する各縦格子部材は、前記縦格子を構成した状態で面一状に配置される背面部を備えると共に、横方向に沿って設けられる横格子部材に前記背面部が当接し連結されることを特徴として構成されている。
【０００９】
さらに、本発明に係る引き戸は、前記縦格子を構成する各縦格子部材は見込方向寸法が異なる２種類の部材からなり、前記縦格子は２種類の前記縦格子部材を交互に配置してなることを特徴として構成されている。
【００１０】
さらにまた、本発明に係る引き戸は、前記縦格子の両端に配置される縦格子部材は、前記横格子部材の両端面が突き合わされて連結される横格子連結部を有する端部材からなることを特徴として構成されている。
【００１１】
そして、本発明に係る引き戸は、前記縦格子部材のうち前記吊り下げ部材以外の部材は、前記吊り下げ部材よりも上端位置が低く形成されてなることを特徴として構成されている。
【発明の効果】
【００１２】
本発明に係る引き戸によれば、障子は複数本の縦格子部材が横方向に並設された縦格子からなり、縦格子の２本以上の縦格子部材は、上端に戸車を有する吊り下げ部材からなることにより、障子に四周に渡る框体を不要とし、主に縦格子部材とその連結に必要な部材だけで障子を構成することができるので、部品の種類を少なくし、組立を容易にすると共に、寸法違いにおける部品の共用化も容易とすることができて、低コスト化を図ることができる。
【００１３】
また、本発明に係る引き戸によれば、縦格子を構成する各縦格子部材は、縦格子を構成した状態で面一状に配置される背面部を備えると共に、横方向に沿って設けられる横格子部材に背面部が当接し連結されることにより、横格子部材を数本設けるだけで、縦格子部材を横方向に連結して障子を構成することができるので、構造を簡易化することができ、さらなる低コスト化を図ることができる。
【００１４】
さらに、本発明に係る引き戸によれば、縦格子を構成する各縦格子部材は見込方向寸法が異なる２種類の部材からなり、縦格子は２種類の縦格子部材を交互に配置してなることにより、縦格子を斜め方向から見たときに、引き戸を挟んだ向かい側が見えにくいようにすることができ、引き戸の間仕切りとしての効果を高めることができる。
【００１５】
さらにまた、本発明に係る引き戸によれば、縦格子の両端に配置される縦格子部材は、横格子部材の両端面が突き合わされて連結される横格子連結部を有する端部材からなることにより、縦格子の両端部では横格子部材の端面が縦格子部材の側面に突き合わされて固定されるので、障子を構成する横格子部材の強度を向上させて、障子全体の強度も向上させることができる。
【００１６】
そして、本発明に係る引き戸によれば、縦格子部材のうち吊り下げ部材以外の部材は、吊り下げ部材よりも上端位置が低く形成されてなることにより、吊り下げ部材のみ高さを変更することで、障子全体の高さを変更することができ、吊り下げ部材以外の縦格子部材を共用化することができ、さらなる低コスト化に寄与することができる。
【図面の簡単な説明】
【００１７】
【図１】本実施形態における引き戸の正面図を示している。
【図２】図１のＡ−Ａ断面図である。
【図３】図２の上部拡大図である。
【図４】図２の下部拡大図である。
【図５】図１のＢ−Ｂ断面図である。
【発明を実施するための形態】
【００１８】
本発明の実施形態について図面に沿って詳細に説明する。図１には本実施形態における引き戸の正面図を、図２には図１のＡ−Ａ断面図を、それぞれ示している。なお、図２は高さ方向を一部省略している。これら各図に示すように、本実施形態における引き戸２は、建物開口部の上辺に取付けられた上枠１に対し内外２枚が引き違い状に吊り下げられ、それぞれが図１における左右方向に移動自在となるように構成されてなるものである。
【００１９】
それぞれの引き戸２は、上枠１に形成されるレール部１１上を走行自在な戸車４を上端に備え、戸車４の下方に吊り下げられる障子３を有している。障子３は、縦方向に伸びる縦格子部材２１が横方向に多数並設された縦格子２０によって構成され、縦格子部材２１のうち２本は、上端部に戸車４を備えた吊り下げ部材２３とされている。
【００２０】
吊り下げ部材２３とその他の縦格子部材２１は、ほぼ同様の構成を有しているが、吊り下げ部材２３は上端位置が戸車４の直下位置であるのに対し、その他の縦格子部材２１は、上端位置が戸車４よりも下方の位置で揃えられており、縦格子２０の上端面を構成している。このため、縦格子２０の上端面と上枠１との間には空間が形成される。
【００２１】
また、障子３を構成する縦格子２０には、縦格子部材２１を連結する横格子部材２２が上部に２本と下部に２本、それぞれ設けられ、各縦格子部材２１は横格子部材２２に固定されることで、一体的な障子３を構成している。
【００２２】
障子３の吊り下げ構造について詳細に説明する。図３には、図２の上部拡大図を示している。この図に示すように、建物開口部を構成する上壁面６の内周面に上枠１が固定されている。上枠１は、上壁面６に対してアンカーボルトで固定される取付ブラケット８を介して固定がなされる。
【００２３】
上枠１は、内外中央位置に断面中空状の本体部１０が形成され、本体部１０の両側面からそれぞれ突出するレール部１１を有している。また、本体部１０の両側上端位置からは、それぞれレール部１１を覆うような断面略コ字状からなるカバー部１２が形成されている。
【００２４】
内外引き戸２に設けられる戸車４は、それぞれ上枠１の内外レール部１１に載置され、長手方向に走行自在とされる。戸車４は、レール部１１よりも下方に延びる吊り下げ部４ａを有しており、その下端部に縦格子部材２１の一部である吊り下げ部材２３の上端部がネジ止め固定される。これにより、障子３は戸車４に吊り下げられ、戸車４によって上枠１の長手方向に移動自在となるようにされている。
【００２５】
図４には、図２の下部拡大図を示している。障子３を構成する横格子部材２２は、断面中空状に形成されると共に、縦格子部材２１の背面に当接し、ネジ止め固定されている。横格子部材２２と縦格子部材２１のネジ止めは、横格子部材２２の背面側からなされ、横格子部材２２にはネジ止め部分を覆うようにキャップ２２ａが係合される。
【００２６】
また、下端位置の横格子部材２２には、長手方向に沿って断面略コ字状の溝部材２４が取付けられている。一方で、建物開口部を構成する床面９には、ガイド部材３０が埋設固定されている。ガイド部材３０は、図１に示すように引き戸２の引き違い部分に設けられている。また、ガイド部材３０は、図４に示すように床面９から上方に突出する軸部３０ａと、軸部３０ａに対して回転自在な回転部３０ｂとを有しており、回転部３０ｂは障子３の溝部材２４の幅に略適合する直径を有している。
【００２７】
溝部材２４は、引き戸２の下端部長手方向に沿って設けられているので、引き戸２を上枠１の長手方向に移動させた際に、障子３の下端部がガイド部材３０によって内外方向に振れないようにガイドされ、円滑な開閉動作を行うことができる。
【００２８】
図５には、図１のＢ−Ｂ断面図を示している。この図に示すように、縦格子部材２１は、断面略長方形状に形成され、横格子部材２２に当接固定される背面部２１ａを有している。また、背面部２１ａに対向する面である正面部２１ｂも有している。
【００２９】
縦格子２０は、正面部２１ｂの背面部２１ａに対する見込方向位置が異なることで、見込方向寸法が異なる２種類の縦格子部材２１が、１本ごと交互に配置されて構成されている。各縦格子部材２１の背面部２１ａは、横格子部材２２に当接しネジ止め固定されているので、見込方向位置は面一状となっているのに対し、縦格子部材２１の正面部２１ｂは、見込方向位置が互い違いとなるように配置されることとなる。これにより、縦格子２０を正面部２１ｂ側の斜め方向から見たときに、引き戸２を挟んだ向かい側が見えにくいようにすることができ、引き戸２の間仕切りとしての効果を高めることができる。
【００３０】
また、縦格子２０を構成する縦格子部材２１のうち、両端部に配置される部材は端部材２５であって、その他の縦格子部材２１と異なり、横格子部材２２を側面に固着する横格子連結部２１ｃを有しており、その分だけ背面側に張り出している。端部材２５は、横格子部材２２を当接させる面の外周側から、ネジにより横格子部材２２を固定できるようにされており、さらにその固定部分を覆うようにキャップ２５ａが係合される。
【００３１】
このように、複数本の縦格子部材２１を横方向に並設して縦格子２０を構成し、縦格子部材２１のうち少なくとも２本を、上端部に戸車４が取付けられた吊り下げ部材２３として構成することにより、障子３を縦格子部材２１とそれを連結する横格子部材２２だけで構成することができ、四周に渡る框体を設ける必要がないので、部品の種類を少なくし、また組立も容易にすることができて、低コスト化を図ることができる。
【００３２】
また、建物開口部の高さによって、引き戸２全体の高さも変更する必要があるが、この場合には、吊り下げ部材２３のみについて、高さの異なる部材を用意するだけで、他の縦格子部材２１については共通の部材を用いることができる。すなわち、部品の共用化により低コスト化を図ることができる。また、障子３の幅方向の寸法も、縦格子部材２１の本数の変更及び横格子部材２２の寸法の変更により、容易に変更することができる。
【００３３】
吊り下げ部材２３について、他の縦格子部材２１と同じ部材の上部に、上端に戸車４を有した延長部材を連結して構成するようにしてもよい。これによれば、吊り下げ部材２３にも共通の縦格子部材２１を用いることができ、縦格子部材２１の上端より上方の部分だけを取り替えることで、様々な縦方向寸法に対応することができる。
【００３４】
また、吊り下げ部材２３と他の縦格子部材２１が、同じ縦方向寸法を有するように構成してもよい。この場合には、吊り下げ部材２３は上端に戸車４が取付けられている以外、他の縦格子部材２１と同じ構成を有することとなる。さらには、吊り下げ部材２３と他の縦格子部材２１の上端位置を略同等としつつ、縦格子２０の下端位置を図１の例よりも上方に配置することもできる。このように、縦格子２０の上下端位置及び縦格子２０の上方に空間を設けるか否かは、適宜設定することができ、これによって内外の遮蔽性と通気性のバランスを様々に設定することができる。
【００３５】
以上、本発明の実施形態について説明したが、本発明の適用は本実施形態には限られず、その技術的思想の範囲内において様々に適用されうるものである。例えば、本実施形態では、２枚の引き戸２を引き違い状に配置したが、１枚の引き戸２からなるものであってもよく、また３枚以上の引き戸２をそれぞれ引き違い状に配置したものであってもよい。
【符号の説明】
【００３６】
１    上枠
２    引き戸
３    障子
４    戸車
４ａ  吊り下げ部
５    下ガイド部
６    上壁面
８    取付ブラケット
９    床面
１０    本体部
１１    レール部
１２    カバー部
２０    縦格子
２１    縦格子部材
２１ａ  背面部
２１ｂ  正面部
２１ｃ  横格子連結部
２２    横格子部材
２３    吊り下げ部材
２４    溝部材
２５    端部材
【図１】
2011006969.tif 000003
【図２】
2011006969.tif 000004
【図３】
2011006969.tif 000005
【図４】
2011006969.tif 000006
【図５】
2011006969.tif 000007